(57)【要約】【課題】清掃性が良いドライヤーを提供すること。【解決手段】ドライヤーは、吸込口（１１）および吐出口（１２）を有するケーシング（１０）内に、ファン（２０）、モータ（３０）およびヒータ（４０）を配置し、上記吸込口（１１）に、外フィルタ（６０）と内フィルタ（７０）とを配置する。上記外フィルタ（６０）の内側に近接して、内フィルタ（７０）を配置する。上記外フィルタ（６０）の開口（６１）の少なくとも一部の領域に、上記内フィルタ（７０）の開口画定部（７２）が対向している。【選択図】図２
2018065055.tif 000002
【特許請求の範囲】
【請求項１】
吸込口および吐出口を有するケーシング内に、ファン、モータおよびヒータを配置し、上記吸込口から吸い込んだ空気を上記ヒータで加熱して吐出口から吐出するドライヤーにおいて、
上記吸込口に設けられると共に、開口画定部が開口を画定する外フィルタと、
上記外フィルタの内側に、その外フィルタに近接して配置されると共に、開口画定部が開口を画定する内フィルタと
を備え、
上記外フィルタの開口の少なくとも一部の領域に、上記内フィルタの開口画定部が対向していることを特徴とするドライヤー。
【請求項２】
請求項１に記載のドライヤーにおいて、
上記内フィルタの各開口の面積は、上記外フィルタの各開口の面積以下の大きさであることを特徴とするドライヤー。
【請求項３】
請求項１または２に記載のドライヤーにおいて、
上記内フィルタの開口率は、上記外フィルタの開口率よりも大きいことを特徴とするドライヤー。
【請求項４】
請求項１から３のいずれか１つに記載のドライヤーにおいて、
上記外フィルタの全ての開口について、その外フィルタの各開口の一部の領域に上記内フィルタの開口画定部が対向していることを特徴とするドライヤー。
【請求項５】
請求項１から４のいずれか１つに記載のドライヤーにおいて、
上記外フィルタと内フィルタとは、第１リングと第２リングとに挟まれて固定されており、
上記外フィルタ、内フィルタ、第１リングおよび第２リングは、フィルタユニットを構成し、
上記フィルタユニットは、上記ケーシングに着脱可能に取り付けられていることを特徴とするドライヤー。
【発明の詳細な説明】
【技術分野】
【０００１】
この発明は、ドライヤーに関する。
【背景技術】
【０００２】
従来、ドライヤーとしては、吸込口と吐出口を有するケーシング内に、ファン、モータおよびヒータを配置し、上記吸込口に、外フィルタと内フィルタを設けて、この外フィルタと内フィルタとの間に大きなゴミ収容室を形成したものがある（特許文献１：特開平６−４６９１９号公報）。
【先行技術文献】
【特許文献】
【０００３】
【特許文献１】特開平６−４６９１９号公報
【発明の概要】
【発明が解決しようとする課題】
【０００４】
しかしながら、上記従来のドライヤーは、外フィルタと内フィルタとの間の大きなゴミ収容室に、ゴミ、埃、毛髪等が堆積するため、そのゴミ等の清掃のためには、外フィルタをケーシングから外さなければならなくて、清掃性が悪いという問題がある。
【０００５】
また、上記従来のドライヤーは、外フィルタと内フィルタとの間に大きなゴミ収容室に大量のゴミ等が溜まっても、外フィルタに邪魔されて、その大量のゴミ等にユーザが気付き難くて、清掃性が悪いという問題がある。
【０００６】
そこで、この発明の課題は、清掃性の良いドライヤーを提供することにある。
【課題を解決するための手段】
【０００７】
上記課題を解決するため、この発明のドライヤーは、
吸込口および吐出口を有するケーシング内に、ファン、モータおよびヒータを配置し、上記吸込口から吸い込んだ空気を上記ヒータで加熱して吐出口から吐出するドライヤーにおいて、
上記吸込口に設けられると共に、開口画定部が開口を画定する外フィルタと、
上記外フィルタの内側に、その外フィルタに近接して配置されると共に、開口画定部が開口を画定する内フィルタと
を備え、
上記外フィルタの開口の少なくとも一部の領域に、上記内フィルタの開口画定部が対向していることを特徴としている。
【０００８】
ここで、開口画定部とは、開口を画定するものであって、例えば、パンチングメタル形式のフィルタの桟、メッシュ式のフィルタの網線のことをいう。
【０００９】
また、この明細書では、「近接」とは、接触していること、または、２ｍｍ以下の僅かな隙間を持った位置関係を有することをいう。
【発明の効果】
【００１０】
この発明のドライヤーは、吸込口に、外フィルタに近接して内フィルタを配置し、上記外フィルタの開口の少なくとも一部に、上記内フィルタの開口画定部が対向しているので、清掃性が良く、かつ、ゴミ、埃、毛髪などの除去性能に優れる。
【図面の簡単な説明】
【００１１】
【図１】この発明の１実施形態のドライヤーの断面図である。
【図２】図１のIIの部分の拡大断面図である。
【図３】フィルタユニットの分解斜視図である。
【図４】図３の一部の拡大分解斜視図である。
【図５】外フィルタと内フィルタの重なりを示す模式図である。
【発明を実施するための形態】
【００１２】
（第１実施形態）
以下、この発明を図示の実施形態により詳細に説明する。
【００１３】
図１に示すように、この実施形態のドライヤーは、吸込口１１と吐出口１２を有するケーシング１０内に、吸込口１１側から吐出口１２側に向けて順に、ファン２０と、モータ３０と、ヒータ４０と、イオン発生ユニット５０とを配置している。
【００１４】
上記ファン２０は、軸流ファンであって、円筒状のファンケース２１の内部に配置している。この円筒状のファンケース２１は、ケーシング１０に固定している。
【００１５】
上記モータ３０は、上記ファンケース２１に固定していて、ファン２０を回転駆動する。
【００１６】
上記ヒータ４０は、断熱スリーブ４１に固定したヒータ基板４２に取り付けて、断熱スリーブ４１に接触しないようにしている。この断熱スリーブ４１はケーシング１０に固定している。
【００１７】
上記イオン発生ユニット５０は、ケーシング１０の吐出口１２の近くの部分と、断熱スリーブ４１との間に配置して、プラスおよびマイナスの電極５１，５１を断熱スリーブ４１の内側に突出している。そして、このプラスおよびマイナスの電極５１，５１の間で放電して、イオンを発生させ、吐出口１２の近くの気流にイオンが合流するようにしている。
【００１８】
また、上記ケーシング１０には、軸１６を介して、ハンドル１５を旋回可能に取り付けている。このハンドル１５には、熱風モード、冷風モード、除電冷風モード等を設定するボタン１７を設けている。
【００１９】
一方、上記ケーシング１０の吸込口１１には、図１および２に示すように、外フィルタの一例としての略鍔付き円板状のパンチングメタル６０と、内フィルタの一例としての略円板状金属製のメッシュフィルタ７０とを設けている。上記メッシュフィルタ７０は、パンチングメタル６０の内側に位置し、かつ、パンチングメタル６０の内面に略全面に亘って、近接している。より具体的には、例えば、上記メッシュフィルタ７０は、パンチングメタル６０の内面に略全面に亘って接触している。
【００２０】
なお、この明細書では、「近接」とは、接触していること、または、２ｍｍ以下の僅かな隙間を持った位置関係を有することを意味する。
【００２１】
上記パンチングメタル６０と金属製のメッシュフィルタ７０とは、図２，３および４に示すように、樹脂製の第１リング８０と樹脂製の第２リング９０とで挟んで固定している。上記第１リング８０は、大略円筒状の円筒部８２と、この円筒部８２から湾曲して半径方向内側に延びるフランジ部８３と、上記円筒部８２に周方向に等間隔に設けた複数の係合穴８１（図３および４を参照）とを有する。また、上記第２リング９０は、図４に示すように、大略円筒状の円筒部９２と、この円筒部９２から半径方向内側に延びるフランジ部９３とを有し、この円筒部９２に、周方向に等間隔に設けられ、軸方向に突出するフック状の複数の係合爪９１を設けている。上記第２リング９０の複数の係合爪９１を、第１リング８０の複数の係合穴８１に夫々係合して、第２リング９０と第１リング８０とを、パンチングメタル６０と金属製のメッシュフィルタ７０とを挟んだ状態で、互いに固定している。こうして、上記パンチングメタル６０、金属製のメッシュフィルタ７０、第１リング８０および第２リング９０は、一体化して、フィルタユニット１００を構成している。
【００２２】
そして、図２に示すように、このフィルタユニット１００の第１リング８０は、ケーシング１０に固定した支持部材１８に、着脱可能に、嵌合して、フィルタユニット１００をケーシング１０に着脱可能に取り付けている。
【００２３】
尤も、図示しないが、フィルタユニット１００の第２リング９０を、ケーシング１０に着脱可能に、嵌合してもよい。
【００２４】
一方、図３を拡大した図４に示すように、上記パンチングメタル６０は、整然と配列された複数の六角形状の開口６１と、この六角形状の開口６１を画定する開口画定部の一例としての桟６２とを有する。また、上記金属製のメッシュフィルタ７０は、整然と配列された複数の矩形の開口７１と、この矩形の開口７１を画定する開口画定部の一例としての網線７２とを有する。上記外フィルタとしてのパンチングメタル６０の六角形状の各開口６１の面積は、上記内フィルタとしての金属製のメッシュフィルタ７０の矩形の各開口７１の面積よりも大きくなっている。
【００２５】
また、上記パンチングメタル６０と金属製のメッシュフィルタ７０とを、第２リング９０のフランジ部９３と第１リング８０のフランジ部８３とで挟んで、互いに固定した状態で、上記パンチングメタル６０の各開口６１の一部の領域に、上記金属製のメッシュフィルタ７０の網線７２が対向し、つまり、重なっている。このパンチングメタル６０の六角形状の開口６１の幅は、網線７２の直径よりも大きくて、六角形状の開口６１を外から見ると、その六角形状の開口６１を網線７２が分断しているように見える。また、上記パンチングメタル６０と金属製のメッシュフィルタ７０とを、第２リング９０と第１リング８０とで、互いに固定した状態で、上記金属製のメッシュフィルタ７０の複数の矩形の開口７１のうちの少なくとも一部の矩形の開口７１は、パンチングメタル６０の桟６２に重なっていて、外からみると、その矩形の開口７１が実際の面積よりも小さく見える。
【００２６】
上記内フィルタとしての金属製のメッシュフィルタ７０は、例えば、２０メッシュで、開口率が６０％である。一方、上記外フィルタとしてのパンチングメタル６０は、例えば、金属製メッシュフィルタの１０メッシュ相当であるが開口画定部が幅広であるため、開口率は、５１．５％である。したがって、金属製のメッシュフィルタ７０の開口率がパンチングメタル６０の開口率よりも大きくなっていて、流動損失を小さくして、吸気効率を落とさないようにしている。
【００２７】
なお、上記金属製のメッシュフィルタ７０は、例えば、２２メッシュで、開口率が５６％であってもよく、あるいは、２４メッシュで、開口率が５２％であってもよい。
【００２８】
また、図１に示すように、上記ケーシング１０の吐出口１２には、安全のためのグリル１４を設けている。
【００２９】
上記構成のドライヤーにおいて、ハンドル１５のボタン１７を操作して、熱風モードを
選択して、モータ３０およびヒータ４０を駆動すると、ファン２０が回転して、空気が外フィルタ６０および内フィルタ７０を通って、ファン２０側へ吸い込まれる。そして、その空気がヒータ４０で加熱されて、加熱空気が吐出口１２から吐出される。
【００３０】
また、ボタン１７が操作されて、冷風モードが選択されると、上記モータ３０およびファン２０のみが駆動されて、吐出口１２から冷風が吐出され、また、除電冷風モードが選択されると、上記モータ３０、ファン２０およびイオン発生ユニット５０が駆動されて、プラスおよびマイナスの電極５１，５１の間で放電がされて、イオンが発生し、そのイオンが吐出口１２の近くで冷風に合流する。
【００３１】
このように、熱風モード、冷風モードおよび除電冷風モード等が選択されて、ファン２０が駆動されると、上記パンチングメタル６０および金属製のメッシュフィルタ７０を空気が通過するときに、このパンチングメタル６０および金属製のメッシュフィルタ７０によって、ゴミ、埃、毛髪等が除去されて、これらの殆ど無い空気がファン２０側に送られる。
【００３２】
このとき、上記パンチングメタル６０および金属製のメッシュフィルタ７０に、ゴミ、埃、毛髪などが捕捉されるが、上記パンチングメタル６０の内面の略全面に亘って金属製のメッシュフィルタ７０が接触していて、上記パンチングメタル６０と金属製のメッシュフィルタ７０との間に、実質的にゴミ等が堆積する大きな空間がないから、捕捉されたゴミ等は、パンチングメタル６０の外側から容易に視認することができる。
【００３３】
また、このパンチングメタル６０と金属製のメッシュフィルタ７０とにより捕捉されたゴミ、埃、毛髪などは、このパンチングメタル６０の近傍に位置しているので、パンチングメタル６０および金属製のメッシュフィルタ７０を取り外すことなく、パンチングメタル６０の外側から、電気掃除機やブラシで容易に清掃することができる。
【００３４】
したがって、この実施形態のドライヤーは、捕捉されたゴミ等を、パンチングメタル６０の外側から確実に視認できることと、パンチングメタル６０の外側から、電気掃除機やブラシで簡単に除去できることとにより、極めて清掃性が優れている。
【００３５】
また、上記パンチングメタル６０の開口６１の一部の領域に、上記金属製のメッシュフィルタ７０の網線７２が対向していて、外側からみると、パンチングメタル６０の開口６１を金属製のメッシュフィルタ７０の網線７２で細かく分割していることと、下流側に位置する金属製のメッシュフィルタ７０の各開口７１の面積が、上流側に位置するパンチングメタル６０の各開口６１の面積よりも小さいことと、パンチングメタル６０の全ての開口６１について、そのパンチングメタル６０の各開口６１の一部の領域に金属製のメッシュフィルタ７０の網線７２が対向していることとが相俟って、ゴミ、埃、毛髪などに対する除去性能が向上し、ファン２０側への吸い込みを確実に防止できる。特に、毛髪のファン２０側への吸い込みを確実に防止できる。この構造を拡大したものを図５に模式的に示す。
【００３６】
また、上記金属製のメッシュフィルタ７０の各開口７１の面積が、パンチングメタル６０の各開口６１の面積よりも小さいけれども、上記金属製のメッシュフィルタ７０の開口率が、パンチングメタル６０の開口率よりも大きいから、各開口の総和面積で金属製のメッシュフィルタ７０の方が、パンチングメタル６０よりも大きくなり、流動抵抗が小さくなって、吸気効率を高くすることができる。
【００３７】
また、この実施形態では、第２リング９０の複数の係合爪９１は、第１リング８０の複数の係合穴８１に夫々係合し、第２リング９０と第１リング８０とは、パンチングメタル
６０と金属製のメッシュフィルタ７０とを挟んだ状態で、互いに固定されている。上記パンチングメタル６０、金属製のメッシュフィルタ７０、第１リング８０および第２リング９０は、一体化して、フィルタユニット１００を構成している。そして、このフィルタユニット１００の第１リング８０は、ケーシング１０に固定した支持部材に、着脱可能に、嵌合して、フィルタユニット１００をケーシング１０に着脱可能に取り付けている。
【００３８】
したがって、このフィルタユニット１００を、ケーシング１０から取り外して、パンチングメタル６０と金属製のメッシュフィルタ７０の交換などのメンテナンスを簡単にすることができる。
【００３９】
（第２実施形態）
上記実施形態では、外フィルタとして六角形状の開口６１を有するパンチングメタル６０を用い、内フィルタとして矩形の開口７１を有する金属製のメッシュフィルタ７０を用いたが、外フィルタおよび内フィルタの開口の形状は、矩形、丸、六角形等のどのような形状であってもよい。
【００４０】
また、第１実施形態では、外フィルタをパンチングメタル、内フィルタをメッシュフィルタとしたが、両者ともにパンチングメタルであっても良いし、メッシュフィルタであってもよい。
【００４１】
また、外フィルタおよび内フィルタは、金属に限らず、樹脂、繊維等で形成してもよい。
【００４２】
また、外フィルタ６０は、樹脂製の第２リング９０と一体成形した樹脂で構成してもよい。
【００４３】
（第３実施形態）
また、上記実施形態では、外フィルタとしてのパンチングメタル６０の内面の略全体に亘って内フィルタとしての金属製のメッシュフィルタ７０を接触させていたが、内フィルタを外フィルタに隙間を持って近接させていてもよい。この隙間は、ゴミの清掃性、流動抵抗の軽減を考慮して、シム、スペーサー等で適宜調整できる。
【００４４】
外フィルタと内フィルタとの隙間は、使用性を考慮すると外フィルタの平均開口径よりも小さくするのが好ましい。例えば、第１実施形態のパンチングメタル６０の場合は２ｍｍである。さらに実用性を考慮すると、ごみの蓄積が少なくでき、市販の掃除ブラシが使用できる範囲が好ましく５ｍｍ以下が好ましい。
【００４５】
（第４実施形態）
また、上記実施形態では、内フィルタとしての金属製のメッシュフィルタ７０の各開口７１の面積を、外フィルタとしてのパンチングメタル６０の各開口６１の面積よりも小さくしていたが、内フィルタ７０の各開口７１の面積と、外フィルタ６０の各開口６１の面積とを等しくしてもよい。
【００４６】
（第５実施形態）
上記実施形態では、外フィルタとしてのパンチングメタル６０、内フィルタとしての金属製のメッシュフィルタ７０、第１リング８０および第２リング９０を、一体化して、フィルタユニット１００を構成し、このフィルタユニット１００をケーシング１０に着脱可能に取り付けていたが、フィルタユニット１００を構成しないで、外フィルタおよび内フィルタを別々にケーシングに取り付けるようにしてもよい。
【００４７】
この発明および実施形態を纏めると、次のようになる。
【００４８】
この発明のドライヤーは、
吸込口１１および吐出口１２を有するケーシング１０内に、ファン２０、モータ３０およびヒータ４０を配置し、上記吸込口１１から吸い込んだ空気を上記ヒータ４０で加熱して吐出口１２から吐出するドライヤーにおいて、
上記吸込口１１に設けられると共に、開口画定部６２が開口６１を画定する外フィルタ６０と、
上記外フィルタ６０の内側に、その外フィルタ６０に近接して配置されると共に、開口画定部７２が開口７１を画定する内フィルタ７０と
を備え、
上記外フィルタ６０の開口６１の少なくとも一部の領域に、上記内フィルタ７０の開口画定部７２が対向していることを特徴としている。
【００４９】
上記構成のドライヤーにおいて、上記ファン２０が駆動されると、上記外フィルタ６０および内フィルタ７０を空気が通過するときに、この外フィルタ６０および内フィルタ７０によって、ゴミ、埃、毛髪等が除去されて、これらの殆ど無い空気がファン２０側に送られる。
【００５０】
このとき、上記外フィルタ６０および内フィルタ７０に、ゴミ、埃、毛髪などが捕捉されるが、上記外フィルタ６０の内側に内フィルタ７０が近接して配置されているため、上記外フィルタ６０と内フィルタ７０との間に、実質的にゴミ等が堆積する大きな空間が無くて、捕捉されたゴミ等は外フィルタ６０の近傍に位置し、外フィルタ６０の外側から容易に視認することができる。
【００５１】
また、上記外フィルタ６０と内フィルタ７０とによって捕捉されたゴミ等は、外フィルタ６０の近傍に位置しているので、外フィルタ６０および内フィルタ７０をケーシング１０から取り外すことなく、外フィルタ６０の外側から、電気掃除機やブラシで容易に清掃することができる。
【００５２】
したがって、この発明のドライヤーは、捕捉されたゴミ、埃、毛髪などを、外フィルタ６０の外側から確実に視認できることと、外フィルタ６０の外側から、電気掃除機やブラシで簡単に除去できることとにより、極めて清掃性が優れている。
【００５３】
また、上記外フィルタ６０の開口６１の一部の領域に、上記内フィルタ７０の開口画定部７２が対向していて、外側からみると、外フィルタの開口６１を内フィルタ７０の開口画定部７２で細かく分割しているため、ゴミ、埃、毛髪などを効果的に除去して、ファン２０側への吸い込みを確実に防止できる。特に、毛髪のファン２０側への吸い込みを確実に防止できる。
【００５４】
１実施形態では、
上記内フィルタ７０の各開口７１の面積は、上記外フィルタ６０の各開口６１の面積以下の大きさである。
【００５５】
上記実施形態によれば、下流側に位置する内フィルタ７０の各開口７１の面積が、上流側に位置する外フィルタ６０の各開口６１の面積よりも小さいため、ゴミ、埃、毛髪などを効果的に除去して、ファン２０側への吸い込みを確実に防止できる。
【００５６】
１実施形態では、
上記内フィルタ７０の開口率は、上記外フィルタ６０の開口率よりも大きい。
【００５７】
また、上記内フィルタ７０の各開口７１の面積が、外フィルタ６０の各開口６１の面積よりも小さくても、上記内フィルタ７０の開口率が、外フィルタ６０の開口率よりも大きいから、各開口の総和面積で金属製のメッシュフィルタ７０の方が、パンチングメタル６０よりも大きくなり、流動抵抗が小さくなって、吸気効率を高くすることができる。
【００５８】
１実施形態では、
上記外フィルタ６０の全ての開口６１について、その外フィルタ６０の各開口６１の一部の領域に上記内フィルタ７０の開口画定部７２が対向している。
【００５９】
上記実施形態によれば、上記外フィルタ６０の全ての開口６１について、その外フィルタ６０の各開口６１の一部の領域に上記内フィルタ７０の開口画定部７２が対向しているので、外フィルタ６０の全ての開口６１を内フィルタ７０の開口画定部７２で細かく分割して、ゴミ、埃、毛髪などを効果的に除去することができる。
【００６０】
１実施形態では、
上記外フィルタ６０と内フィルタ７０とは、第１リング８０と第２リング９０とに挟まれて固定されており、
上記外フィルタ６０、内フィルタ７０、第１リング８０および第２リング９０は、フィルタユニット１００を構成し、
上記フィルタユニット１００は、上記ケーシング１０に着脱可能に取り付けられている。
【００６１】
上記実施形態によれば、上記外フィルタ６０、内フィルタ７０、第１リング８０および第２リング９０は、フィルタユニット１００を構成し、上記フィルタユニット１００は、ケーシング１０に着脱可能に取り付けられている。
【００６２】
したがって、上記フィルタユニット１００をケーシング１０から取り外して、上記外フィルタ６０および内フィルタ７０のメンテナンスを容易に行うことができる。
【００６３】
上記実施形態および変形例で述べた構成要素は、適宜、組み合わせてもよく、また、選択、置換、あるいは、削除してもよいのは、勿論である。
【符号の説明】
【００６４】
１０  ケーシング
１１  吸込口
１２  吐出口
２０  ファン
３０  モータ
４０  ヒータ
６０  外フィルタ
７０  内フィルタ
６１，７１  開口
６２，７２  開口画定部
８０  第１リング
９０  第２リング
１００  フィルタユニット
【図１】
2018065055.tif 000003
【図２】
2018065055.tif 000004
【図３】
2018065055.tif 000005
【図４】
2018065055.tif 000006
【図５】
2018065055.tif 000007